(57)【特許請求の範囲】
【請求項１】
所定の間隔で供給され独立的にデコーディングできるフレームデータを含むＡＴＶ信号をノーマルプレイを行うノーマルデータとトリックプレイを行うトリックデータとに区分してディジタルビデオテープ上に記録する方法において、
前記ディジタルビデオテープの各トラックのオーディオセクタ及びビデオセクタを構成するそれぞれのシンクブロックにおいてシンクブロックのデータ領域を第１領域及び第２領域とに分割し、
前記第１領域にはノーマルデータを記録し、前記第２領域にはトリックデータを記録し、
前記第２領域に記録される前記トリックデータは複数の偶数倍速中の最大偶数倍速数の２倍に当たる個数のトラック全てに対して同一な番号のシンクブロックに同一なトリックデータを記録することを特徴とするディジタルビデオテープ上のデータ記録方法。
【請求項２】
前記トリックプレイを行うためのトリックデータ領域にはそれぞれのシンクブロックのデータ領域の記録ビットの容量においてＳＤーＶＣＲとＡＴＶ信号の記録ビットの容量の差に当たる記録ビットの容量を有する記録データが記録されることを特徴とする請求項１記載のディジタルビデオテープ上のデータ記録方法。
【請求項３】
前記トリックプレイを行うためのトリックデータの記録領域にはそれぞれのシンクブロックのデータ領域の記録ビットの容量においてＳＤーＶＣＲとＡＴＶ信号の記録ビットの容量の差に当たる記録ビットの容量を有するトリックデータがそれぞれのトラックにおいて同一な間隔で周期的及び反復的に記録されることを特徴とする請求項１記載のディジタルビデオテープ上のデータ記録方法。
【請求項４】
所定の間隔で供給され独立的にデコーディングできるフレームデータを含むＡＴＶ信号をノーマルプレイを行うためのノーマルデータとトリックプレイを行うためのトリックデータとに区分してディジタルビデオテープ上に記録する方法において、
前記ディジタルビデオテープの各トラックのビデオセクタを構成するそれぞれのシンクブロックにおいてシンクブロックのデータ領域を第１領域及び第２領域に分割し、
前記第１領域にはノーマルデータを記録し、前記第２領域にはトリックデータを記録し、
前記第２領域に記録される前記トリックデータは複数の偶数倍速中の最大の偶数倍速数の２倍に当たる個数のトラック全てに対して同一な番号のシンクブロックに同一なトリックデータを記録することを特徴とするディジタルビデオテープ上のデータ記録方法。
【請求項５】
前記トリックプレイを行うためのトリックデータにはそれぞれのシンクブロックのデータ領域の記録ビット容量においてＳＤーＶＣＲとＡＴＶ信号の記録ビットの容量の差に当たる記録ビットの容量を有するトリックデータが記録されることを特徴とする請求項４記載のディジタルビデオテープ上のデータ記録方法。
【請求項６】
前記トリックプレイを行うためのトリックデータ領域にはそれぞれのシンクブロックのデータ領域の記録ビットの容量においてＳＤーＶＣＲとＡＴＶ信号の記録ビット容量の差に当たる記録ビットの容量を有するトリックデータがそれぞれのトラックにおいて同一な間隔で周期的及び反復的に記録されることを特徴とする請求項４記載のディジタルビデオテープ上のデータ記録方法。
【請求項７】
所定の間隔で供給され独立的にデコーディングできるフレームデータを含むＡＴＶ信号をノーマルプレイを行うノーマルデータとトリックプレイを行うトリックデータとに区分してディジタルビデオテープ上に記録する方法において、
前記ディジタルビデオテープの各トラックのオーディオセクタを構成するそれぞれのシンクブロックにおいてシンクブロックのデータ領域を第１領域及び第２領域に分割し、
前記第１領域にはノーマルデータを記録し、前記第２領域にはトリックデータを記録し、
前記第２領域に記録される前記トリックデータは複数の偶数倍速中の最大の偶数倍速数の２倍に当たる個数のトラック全てに対して同一な番号のシンクブロックに同一なトリックデータを記録することを特徴とするディジタルビデオ上のデータ記録方法。
【請求項８】
前記トリックプレイを行うためのトリックデータ領域にはそれぞれのシンクブロックのデータ領域の記録ビットの容量においてＳＤーＶＣＲとＡＴＶ信号の記録ビットの容量の差に当たる記録ビットの容量を有するトリックデータが記録されることを特徴とする請求項７記載のディジタルビデオ上のデータ記録方法。
【請求項９】
前記トリックプレイを行うためのトリックデータの記録領域にはそれぞれのシンクブロックのデータ領域の記録ビットの容量においてＳＤーＶＣＲとＡＴＶ信号の記録ビットの容量の差に当たる記録ビットの容量を有するトリックデータがそれぞれのトラックにおいて同一の間隔で周期的及び反復的に記録されることを特徴とする請求項７記載のディジタルビデオ上のデータ記録方法。
【請求項１０】
所定の間隔で供給され独立的にデコーディング可能なフレームデータを含むＡＴＶ信号をノーマルプレイを行うためのノーマルデータ及びトリックプレイを行うためのトリックデータとに区分してそれぞれディジタルビデオテープの各トラックにおいて第１領域及び第２領域に記録し、ヘッドが前記データ記録表面をスキャンしてトリックデータを再生する方法において、
シンクブロック毎に、ノーマルデータの記録された前記第１領域及びトリックデータの記録された前記第２領域及びインナパリティをスキャンして前記ノーマルデータ及びトリックデータをデコーディングし、一つのトラックにおいてオーディオセクタ及びビデオセクタ及びアウタパリティをスキャンして前記オーディオセクタ及びビデオセクタをデコーディングすることを特徴とするディジタルビデオ上のデータ再生方法。
【請求項１１】
ＳＤーＶＣＲ及びＡＴＶ信号のビット率の差に当たる５．６Mbpsの記録領域（一つのシンクブロックにおいて７７バイトのデータ領域中に１７バイト）に記録されたトリックデータをトリックプレイのために再生することを特徴とする請求項１０記載のディジタルビデオ上のデータ再生方法。
【発明の詳細な説明】
【０００１】
【発明の属する技術分野】
本発明はディジタルビデオテ−プ上のデ−タ記録及び再生方法に係り、さらに詳細にはＡＴＶ信号をディジタルビデオ上に記録及び再生するための装置においてトリックプレイを行うための映像デ−タを記録及び再生する方法に関する。
【０００２】
【従来の技術】
ＡＴＶ信号をＳＤ−ＶＣＲディジタルビデオテ−プ上に記録及び再生するディジタルビデオテ−プレコ−ダ（以下ＤＶＣＲと言う）の開発が進んでいる。現在、ＳＤ−ＶＣＲのビットストリ−ムは 24.9Mbps であり、ＡＴＶ信号のビットストリ−ムは 19.3Mbps である。従って、5.6Mbps を記録し得る領域が残る。ノイズを減らして画質を改善させる上多様なトリックプレイの速度を満足させ、多様なタイプのスキャナの要件を全て満足させるために前記余分のビデオセクタ領域とオ−ディオセクタ領域にトリックプレイを行うためのトリックデ−タを記録する方式に関する研究が進んでいる。
【０００３】
本発明はこのような研究の一環としてトリックデ−タを如何に記録するのがＤＶＣＲのデ−タ記録と再生時のトリックモ−ドの倍速の選択の幅を広めるトリックデ−タの記録方式を提案する。
ＤＶＣＲの開発における課題は画質とコスト面でいずれも望ましい再生のための記録フォ−マットを設定することである。
【０００４】
通常的に、従来には各倍速に対応するスキャン領域にトリックデ−タを配置する方式を用いた。この方式はトリックプレイ時に再生画面の画質は相対的に優秀である。しかしながら、必須的に各倍速の対応スキャン領域内のトリックデ−タの配置領域をスキャンせざるを得ないのでサ−ボ制御が正確でなければならない負担感から高コストになる問題があった。
【０００５】
【発明が解決しようとする課題】
本発明の目的は前記した従来の技術の問題を改善しようとするもので、デ−タ配置領域をヘッドがスキャンすることにおいて相対的にサ−ボ制御の正確性が要求されないようにしてコストの低下及びDVCRのトリックプレイを行う時倍速の多様性を有するディジタルビデオテ−プ上にデ−タを記録及び再生する方法を提供することにある。
【０００６】
【課題を解決するための手段】
前記した目的を達成するための本発明の一態様によれば、所定の間隔で供給され独立的にデコーディング可能なフレームデータを含むＡＴＶ信号を、ノーマルプレイを行うためのノーマルデータとトリックプレイを行うためのトリックプレイとに区分してディジタルビデオテープ上に記録する方法において、前記ディジタルビデオテープの各トラックのオーディオセクタ及びビデオセクタを構成するそれぞれのシンクブロックにおいてシンクブロックのデータ領域を第１領域及び第２領域に分割し、前記第１領域にはノーマルデータを記録し、前記第２領域にはトリックデータを記録し、前記第２領域に記録される前記トリックデータは複数の偶数倍速中の最大偶数倍速数の２倍に当たる個数のトラック全てに対して同一な番号のシンクブロックに同一なトリックデータを記録することを特徴とする。
【０００７】
所定の間隔で供給され独立的にデコーディング可能なフレームデータを含むＡＴＶ信号をノーマルプレイを行うためのノーマルデータとトリックプレイを行うためのトリックプレイとに区分してディジタルビデオテープ上に記録する方法において、前記ビデオテープの各トラックのオーディオセクタを構成するそれぞれのシンクブロックにおいてシンクブロックのデータ領域を第１領域及び第２領域に分割し、前記第１領域にはノーマルデータを記録し、前記第２領域にはトリックデータを記録し、前記第２領域に記録される前記トリックデータは複数の偶数倍速中の最大偶数倍速数の２倍に当たる個数のトラック全てに対して同一な番号のシンクブロックに同一なトリックデータを記録することを特徴とする。
【０００８】
所定の間隔で供給され独立的にデコーディング可能なフレームデータを含むＡＴＶ信号をノーマルプレイを行うためのノーマルデータとトリックプレイを行うためのトリックプレイとに区分してディジタルビデオテープ上に記録する方法において、前記ビデオテープの各トラックのビデオセクタを構成するそれぞれのシンクブロックにおいてシンクブロックのデータ領域を第１領域と第２領域に分割し、前記第１領域にはノーマルデータを記録し、前記第２領域にはトリックデータを記録し、前記第２領域に記録される前記トリックデータは複数の偶数倍速中の最大偶数倍速数の２倍に当たる個数のトラック全てに対して同一な番号のシンクブロックに同一なトリックデータを記録することを特徴とする。
【０００９】
所定の間隔で供給され独立的にデコーディング可能なフレームデータを含むＡＴＶ信号をノーマルプレイを行うためのノーマルデータとトリックプレイを行うためのトリックプレイとに区分してそれぞれディジタルビデオテープの各トラックにおいて第１領域及び第２領域に記録し、ヘッドが前記データ記録の表面をスキャンしてトリックデータを再生する方法において、シンクブロック毎に、ノーマルデータの記録された前記第１領域及びトリックデータの記録された前記第２領域及びインナパリティをスキャンして前記ノーマルデータ及びトリックデータをデコーディングし、一つのトラックにおいてオーディオセクタ及びビデオセクタ及びアウタパリティをスキャンして前記オーディオセクタ及びビデオセクタをデコーディングすることを特徴とする。
【００１０】
【発明の実施の形態】
以下、添付した図面に基づき本発明を詳細に説明する。
本発明はシンクブロックのデ−タ領域においてノ−マルデ−タ及びトリックデ−タを分割して記録するものであり、これはＳＤ−ＶＣＲの記録ビット容量が上述したように 24.9Mbps ビットストリ−ムであり、ＡＴＶビットが 19.3Mbps ビットストリ−ムであって 5.6Mbpsのビットストリ−ムの余裕分をトリック用のデ−タ領域として使用することにより達成される。
【００１１】
図１でトラックはヘッドのスキャンし始める部分よりＩＴＩ(Insert and Track Information)セクタ２、オ−ディオセクタ４、ビデオセクタ６及びサブコ−ドセクタ８の手順に区分される。各セクタとの間にはギャップＧ１，Ｇ２，Ｇ３が存する。前記ＩＴＩセクタ２はＩＴＩプレアンブル（Pre-Amble)領域１０、スタ−トシンクブロック領域１２、トラック情報領域１４及びＩＴＩポストアンブル(Post-Amble)領域１６を有する。オ−ディオセクタ４はオ−ディオプレアンブル領域１８、１４個のオ−ディオデ−タシンクブロック２０及びオ−ディオポストアンブル領域２２を有する。ビデオセクタ６はビデオプレアンブル領域２４、１４９個のビデオデ−タシンクブロック２６及びビデオポストアンブル領域２８を有する。サブコ−ドセクタ８はサブコ−ドプレアンブル領域３０、サブコ−ド領域３２及びサブコ−ドポストアンブル領域３４を有する。サブコ−ドセクタ８以後の領域はオ−バ−ライトマ−ジン(Overwrite Margin)３６である。
【００１２】
図２（Ａ）は通常のシンクブロックを示す図面である。図２（Ａ）において、参照符号３８は２バイトのシンク領域であり、４０は３バイトのＩＤコードであり、４２は７７バイトのデータ領域であり、４４は８バイトのインナパリティ領域である。
図２（Ｂ）は本発明によるデータシンクブロックを示す図面である。図２（Ｂ）において、参照符号４２は図２（Ａ）より前記したようなデータ領域であり、４６はデータ領域４２内に所定の大きさを有するトリックデータを記録する領域であり図２（Ｂ）にはデータ領域内の６５番目バイトから８１番目バイトまで１７バイトを占めるものとして示しているが、これは絶対的に前記バイト（６５〜８１バイト）の位置に限られるものではない。データ領域４２内のどこにでも１７個のバイトをトリックデータの記録領域として設定することができる。さらに、ここで設定された１７個のバイトは特定個数でなく単なるＳＤーＶＣＲがＡＭｂｐｓビットストリームでありＡＴＶ信号はＢＭｂｐｓビットストリームである時、ＡーＢ＝Ｃ即ち、ＣＭｂｐｓビットストリームの余分に当たる数値である。ここで、ＡとＢは実数である。現在のＳＤーＶＣＲのビットストリームは２４．９Ｍｂｐｓに規格化されておりＡＴＶ信号は１９．３Ｍｂｐｓに規格化されておることから５．６Ｍｂｐｓの余分をトリックデータ領域として用いるものである。
【００１３】
即ち、前記のＡ又は／そしてＢの値が変わるとＣもそれに応じて変われる。
図２（Ｃ）はデ−タ領域中トリックデ−タを図２（Ｂ）とは異なる位置に設定した場合を示す図面である。図２（Ｃ）において、参照符号は図２（Ｂ）と同一でありトリックデ−タをデ−タ領域４２中どの位置に記録しても構わないということを知らせるために示した。ビデオセクタだけでなくオ−ディオセクタにも適用される。但し、説明の便宜上ビデオセクタのみを適用して説明する。  本発明は図２（Ｂ）に示されたようにデ−タ領域４２内の最後の部分のバイトで１７個のバイトにトリックデ−タを記録する場合の一実施例である。これはビデオセクタのみならずオ−ディオセクタでも適用される。
【００１４】
図３はシンクブロックのビデオセクタを示すものとして図２（Ｂ）に示されたようにトリックデ−タを配置する場合に当たる。
図３において、左側の番号ｉはビデオデ−タに対するシンクブロックの番号であり、参照符号４８はデ−タ領域中ノ−マルデ−タの記録される領域であり、５０はデ−タ領域中トリックデ−タの記録される領域である。
【００１５】
図４はデ−タシンクブロックのビデオセクタであり図２（Ｃ）に示されたようにトリックデ−タを配置する場合に当たる図面である。
図４において参照符号は図３と同一なので説明を省く。
本発明はトリックプレイを行うために最大倍速の２倍に当たる個数のトラックにトリックデ−タを反復的に記録しこれを再生する。
【００１６】
さて、図５乃至８を参照して最大倍速の２倍に当たる個数のトラックに反復的にトリックデ−タを記録すればどのような効果ができるかを説明する。
図５は最大倍速の２倍に当たる個数のトラックにトリックデ−タを記録した状態を示すための図面であって図３に示された場合に当たる。図５において、縦方向の数値はシンクブロックの番号を示す。本図面ではビデオデ−タ領域内にのみトリックデ−タを記録したがオ−ディオデ−タ領域内にトリックデ−タを記録しても適用されることを再び言及する所である。
【００１７】
図４に準じれば図５ではそれぞれのシンクブロックの最後の部分でない中間位の位置にトリックデータが反復的に記録される。さて、一つの実施例を挙げて本発明を更に具体的に説明する。
本実施例では最大倍速を６倍速としよう。
図６はトリックデータの記録されたトラックをヘッドが６倍速でスキャンするのを示す図面である。図６において最大倍速が６倍速であるので与えられるトラックの数は１２個になる。１２個のトラックに対して同一なシンクブロックの番号を有するトリックプレイデータは同一なトリックデータが記録される。図面上の斜線の引かれた部分はトリックデータの記録された領域であり、黒い部分はヘッドａとヘッドｂがトリックプレイを行う時それぞれスキャンして読み取る部分であり、白い部分はノーマルデータの記録された領域である。ヘッドａはａ部分のトラックを読み取り、ヘッドｂはｂ部分のトラックを読み取る。さらに、トリックデータをスキャンする際５０％以上をスキャンすれば記録されたデータをデコーディングできるとしよう。そうすると、ヘッドａはシンクブロック２３，２４，２５，２６，１５３，１５４及び１５５をデコーディングすることができ、ヘッドｂはシンクブロック２１，２２，１５０，１５１及び１５２を解読できる。図６の中間に省略された部分のシンクブロックは同じ原理としてヘッドａとヘッドｂとに分けられてそれぞれ読み取られるだろう。即ち、最大６倍速の場合トリックデータは１２のトラックに与えられてヘッドａとヘッドｂによってそれぞれスキャンするようになる。
【００１８】
本発明はトリックデ−タの配置構造において偶数の倍速のみ可能である。さらに、最大倍速が２Ｎであれば本発明は -2N、-2(N-1) 、...,、-4、-2、2 、4 、... 、2(N-1)及び２Ｎ倍速（ここでＮは整数）が全て可能な利点がある。さらに、前記それぞれの倍速を基準として最大 -0.5 、-0.4、-0.3、-0.2、-0.1、0.1 、0.2 、0.3 、0.4 及び0.5 を加えた倍速が可能である。
【００１９】
これは一例であって、４倍速の場合において４倍速でトリックプレイを行うためにヘッドのスキャンする部分と 4.1倍速でトリックプレイを行うためにヘッドのスキャンする部分の差は非常に微細なためである。これは前記したように記録されたデ−タの５０％以上をヘッドが読み取ればデコ−ディング可能な事実に起因する。それでヘッドが５０％以上のデ−タを読み取れない程の小数点倍速は不可能である。
【００２０】
さて、前記一実施例に準じて４倍速と２倍速を説明する。
図７は最大６倍速可能なトリックプレイの場合に４倍速を選んだ場合のヘッドのスキャンを示す図面である。１２個のトラックに同一なシンクブロックの番号には同一なトリックデ−タが記録されているのでヘッドａは同一なデ−タを２回スキャンし、ヘッドｂはデ−タを１回スキャンするだろう。即ち、点線で丸く描かれた（１）と（２）の同一なデ−タを２回読み取るものとなる。
【００２１】
図８は最大６倍速可能なトリックプレイの場合に２倍速を選んだ場合に当たるヘッドのスキャンを示す図面である。同様に、最大６倍速可能なものを２倍速に選択するとヘッドａとヘッドｂはそれぞれ３回ずつ同一なデ−タを読み取るようになる。即ち、点線で丸く描かれた（３）、（５）及び（７）はヘッドａにより読み取られるトリックデ−タであり、（４）、（６）及び（８）はヘッドｂにより読み取られるトリックデ−タである。２倍速は６倍速に比し同一な画面が３回に渡って繰り返されるので当然６倍速に比して相対的に退屈に感じられる。
【００２２】
若し、最大３０倍速にしてトリックデ−タを記録したならば、本発明の原理によると２，４，６，．．．，２４，２６，２８及び３０倍速のトリックプレイが可能であろう。無論、前記の正方向倍速だけでなく、前記正方向倍速に対応する逆方向倍速も可能である。さらに、前記それぞれの倍速を基準とし前記したような小数点倍速も可能である。
【００２３】
これは従来の或る特定倍速のみ可能であったトリックプレイシステムに比して使用者に著しく多様な選択の幅を提供する。
次はＥＣＣ(Erorr Correction Coding) の作用について説明する。
一つのシンクブロックにおいてオ−ディオ及びビデオデ−タ領域の後ろにはＥＣＣが伴う。図３及び図４にも示されているように縦軸にインナパリティがあり、横軸にはアウタパリティがある。これはＥＣＣを行うためである。
【００２４】
本発明では一つのシンクブロックにおいて現在７７バイトのデ−タ領域の後ろに８バイトのインナパリティが続く。さらに、一つのトラックにおいてオ−ディオデ−タ領域の後ろにＥＣＣを行うための所定の個数のシンクブロックにアウタパリティが続き、ビデオデ−タ領域の後ろに所定の個数のアウタパリティが続く。
【００２５】
従来の方式中にはトリックデ−タのＥＣＣを行うために元のＥＣＣ領域及び所定のデ−タ領域を所要するものがあったが、オ−ディオ及びビデオデ−タ領域にトリックデ−タを１７バイトに記録する本発明はトリックデ−タだけのＥＣＣを行うための領域を別途に設けない。元来ノ−マルデ−タのＥＣＣのために所要される領域のみでノ−マルデ−タとトリックデ−タのＥＣＣを行うことができる。
【００２６】
【発明の効果】
結論的に、本発明は必須的になくてはならないノ−マルデ−タのＥＣＣ領域のみでトリックデ−タのＥＣＣを行える利点がある。これは与えられた領域でさらに多くのデ−タを記録し得る効率性を上げることと言える。
前記した本発明はＡＴＶの場合の 5.6Mbpsほどに当たる領域をトリックデ−タに用い、トリックデ−タのＥＣＣのために別途にデ−タ領域を与えなく、最大倍速内の偶数倍速のトリックプレイが可能なのでトリックモ−ドの速度を多様化させ得る。
【図面の簡単な説明】
【図１】ＳＤ−ＶＣＲの記録フォ−マットを有するディジタルビデオテ−プのトラックフォ−マットを示す図である。
【図２】（Ａ）乃至（Ｃ）は通常の方法及び本発明によるデ−タシンクブロックを示す図である。
【図３】本発明によるオ−ディオ及びビデオのデ−タシンクブロックのセクタを示した図である。
【図４】本発明によるオ−ディオ及びビデオのデ−タシンクブロックのセクタを示した図である。
【図５】本発明によるトリックプレイの遂行を示した図である。
【図６】本発明によるトリックプレイの遂行を示した図である。
【図７】本発明によるトリックプレイの遂行を示した図である。
【図８】本発明によるトリックプレイの遂行を示した図である。
【符号の説明】
２  ＩＴＩセクタ
４  オーディオセクタ
６  ビデオセクタ
８  サブコードセクタ
Ｇ１，Ｇ２，Ｇ３  ギャップ
１０  ＩＴＩプレアンブル領域
１２  スタートシンクブロック領域
１４  トラック情報領域
１６  ＩＴＩポストアンブル領域
２０  オーディオデータシンクブロック
２２  オーディオポストアンブル領域
２４  ビデオプレアンブル領域
２６  ビデオデータシンクブロック
２８  ビデオポストアンブル領域
３０  サブコードアンブル領域
３２  サブコードセクタ
３４  サブコードアンブル領域
３６  オーバーライトマージン
【図１】
0003706182.tif 000002
【図２】
0003706182.tif 000003
【図３】
0003706182.tif 000004
【図４】
0003706182.tif 000005
【図５】
0003706182.tif 000006
【図６】
0003706182.tif 000007
【図７】
0003706182.tif 000008
【図８】
0003706182.tif 000009